【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
タッチ入力可能なタッチディスプレイと、前記タッチディスプレイに表示される表示データを、ＨＭＤ画面に対応する外部出力表示データとして出力する出力部とを備えた携帯端末装置と、
前記出力部からの外部出力表示データを受けて、ヘッドマウントディスプレイ（ＨＭＤ）に表示するためのＨＭＤ表示データを生成する変換装置と、
前記変換装置に接続され、ＨＭＤ表示データを受け取って表示するヘッドマウントディスプレイと、
を備えた連携表示システムにおいて、
前記タッチディスプレイの所定の一部領域であって、前記ＨＭＤ画面に対応する一部領域を重複表示領域とし、
前記変換装置は、受け取った外部出力表示データの中央部に含まれる前記表示データに対応する領域のうち、前記重複表示領域の表示データを抽出してＨＭＤ表示データを生成することを特徴とする連携表示システム。
【請求項２】
タッチディスプレイに表示される表示データを、ＨＭＤ画面に対応する外部出力表示データとして出力する携帯端末装置からの外部出力表示データを受けて、ヘッドマウントディスプレイ（ＨＭＤ）に表示するためのＨＭＤ表示データを生成する変換装置において、
前記タッチディスプレイの所定の一部領域であって、前記ＨＭＤ画面に対応する一部領域を重複表示領域とし、
前記変換装置は、受け取った外部出力表示データの中央部に含まれる前記表示データに対応する領域のうち、前記重複表示領域の表示データを抽出してＨＭＤ表示データを生成することを特徴とする変換装置。
【請求項３】
請求項１の連携表示システムまたは請求項２の変換装置において、
前記携帯端末装置は、前記タッチディスプレイの縦長表示または横長表示の切替手段を、縦長の表示に固定する固定手段を備えていることを特徴とする連携表示システムまたは変換装置。
【請求項４】
請求項１〜３のいずれかの連携表示システムまたは変換装置において、
前記携帯端末装置のタッチディスプレイにおいて、前記重複表示領域には、タッチ入力のための表示を行わないようにしたことを特徴とする連携表示システムまたは変換装置。
【請求項５】
タッチ入力可能なタッチディスプレイと、
前記タッチディスプレイに表示される表示データを、ＨＭＤ画面に対応する外部出力表示データとして出力する出力手段と、
前記出力手段からの外部出力表示データを受けて、ヘッドマウントディスプレイ（ＨＭＤ）に表示するためのＨＭＤ表示データを生成する変換手段と、
を備えた携帯端末装置において、
前記タッチディスプレイの所定の一部領域であって、前記ＨＭＤ画面に対応する一部領域を重複表示領域とし、
前記変換手段は、受け取った外部出力表示データの中央部に含まれる前記表示データに対応する領域のうち、前記重複表示領域の表示データを抽出してＨＭＤ表示データを生成することを特徴とする携帯端末装置。
【請求項６】
コンピュータによって変換手段を実現するための変換プログラムであって、コンピュータを、
タッチディスプレイに表示される表示データを、ＨＭＤ画面に対応する外部出力表示データとして出力する出力手段からの外部出力表示データを受けて、ヘッドマウントディスプレイ（ＨＭＤ）に表示するためのＨＭＤ表示データを生成する変換手段として機能させるための変換プログラムにおいて、
前記タッチディスプレイの所定の一部領域であって、前記ＨＭＤ画面に対応する一部領域を重複表示領域とし、
前記変換手段は、受け取った外部出力表示データの中央部に含まれる前記表示データに対応する領域のうち、前記重複表示領域の表示データを抽出してＨＭＤ表示データを生成することを特徴とする変換プログラム。
【請求項７】
請求項５の装置または請求項６のプログラムにおいて、
前記変換手段は、前記タッチディスプレイの縦長表示または横長表示の切替手段を、縦長の表示に固定することを特徴とする装置またはプログラム。
【請求項８】
請求項５〜７のいずれかの装置またはプログラムにおいて、
前記携帯端末装置のタッチディスプレイにおいて、前記重複表示領域には、タッチ入力のための表示を行わないようにしたことを特徴とする装置またはプログラム。
【請求項９】
タッチ入力可能なタッチディスプレイと、前記タッチディスプレイに表示される表示データを、外部出力表示データとして外部に出力する出力部とを備えた携帯端末装置と、
前記出力部からの外部出力表示データを受けて、ヘッドマウントディスプレイ（ＨＭＤ）に表示するためのＨＭＤ表示データを生成する変換装置と、
前記変換装置に接続され、ＨＭＤ表示データを受け取って表示するヘッドマウントディスプレイと、
を備えた連携表示システムにおいて、
前記タッチディスプレイの所定の一部領域であって、前記ＨＭＤ画面に対応する一部領域を重複表示領域とし、
前記変換装置は、接続された携帯端末装置の機種とヘッドマウントディスプレイの機種の組み合わせに基づいて、前記外部出力表示データを前記ＨＭＤ表示データに変換することを特徴とする連携表示システム。
【請求項１０】
タッチディスプレイに表示される表示データを、外部出力表示データとして出力する携帯端末装置からの外部出力表示データを受けて、ヘッドマウントディスプレイ（ＨＭＤ）画面に表示するためのＨＭＤ表示データを生成する変換装置において、
前記タッチディスプレイの所定の一部領域であって、前記ＨＭＤ画面に対応する一部領域を重複表示領域とし、
前記変換装置は、接続された携帯端末装置の機種とヘッドマウントディスプレイの機種の組み合わせに基づいて、前記外部出力表示データを前記ＨＭＤ表示データに変換することを特徴とする変換装置。
【請求項１１】
請求項９のシステムまたは請求項１０の装置において、
接続される携帯端末装置の機種またはヘッドマウントディスプレイの機種の一方が予め定まっている場合には、他方に基づいて、前記外部出力表示データを前記ＨＭＤ表示データに変換することを特徴とするシステムまたは装置。
【請求項１２】
請求項９〜１１のシステムまたは装置において、
前記携帯端末装置の機種とヘッドマウントディスプレイの機種の組み合わせによって、
前記表示データが、縦長表示のためのデータとなり、前記外部出力表示データが、その中央部に前記縦長の表示データを含む、全体として横長のＨＭＤ画面に対応するものとなる場合には、
前記変換装置は、受け取った外部出力表示データの中央部に含まれる前記縦長の表示データに対応する領域のうち、前記重複表示領域の表示データを抽出してＨＭＤ表示データを生成することを特徴とするシステムまたは装置。
【請求項１３】
タッチ入力可能なタッチディスプレイと、
前記タッチディスプレイに表示される表示データを、外部出力表示データとして外部に出力する出力手段と、
前記出力手段からの外部出力表示データを受けて、ヘッドマウントディスプレイ（ＨＭＤ）に表示するためのＨＭＤ表示データを生成する変換手段と、
を備えた携帯端末装置において、
前記タッチディスプレイの所定の一部領域であって、前記ＨＭＤ画面に対応する一部領域を重複表示領域とし、
前記変換手段は、接続された携帯端末装置の機種とヘッドマウントディスプレイの機種の組み合わせに基づいて、前記外部出力表示データを前記ＨＭＤ表示データに変換することを特徴とする携帯端末装置。
【請求項１４】
コンピュータによって変換手段を実現するための変換プログラムであって、コンピュータを、
前記タッチディスプレイに表示される表示データを、外部出力表示データとして外部に出力する出力手段からの外部出力表示データを受けて、ヘッドマウントディスプレイ（ＨＭＤ）に表示するためのＨＭＤ表示データを生成する変換手段として機能させるための変換プログラムにおいて、
前記タッチディスプレイの所定の一部領域であって、前記ＨＭＤ画面に対応する一部領域を重複表示領域とし、
前記変換手段は、接続された携帯端末装置の機種とヘッドマウントディスプレイの機種の組み合わせに基づいて、前記外部出力表示データを前記ＨＭＤ表示データに変換することを特徴とする変換プログラム。
【請求項１５】
請求項１３の装置または請求項１４のプログラムにおいて、
接続される携帯端末装置の機種またはヘッドマウントディスプレイの機種の一方が予め定まっている場合には、他方に基づいて、前記外部出力表示データを前記ＨＭＤ表示データに変換することを特徴とする装置またはプログラム。
【請求項１６】
請求項１３〜１５の装置またはプログラムにおいて、
前記携帯端末装置の機種とヘッドマウントディスプレイの機種の組み合わせによって、
前記表示データが、縦長表示のためのデータとなり、前記外部出力表示データが、その中央部に前記縦長の表示データを含む、全体として横長のＨＭＤ画面に対応するＨＤＭＩデータとなる場合には、
前記変換装置は、受け取ったＨＤＭＩデータの中央部に含まれる前記縦長の表示データに対応する領域のうち、前記重複表示領域の表示データを抽出してＨＭＤ表示データを生成することを特徴とする装置またはプログラム。
【請求項１７】
タッチ入力可能なタッチディスプレイと、前記タッチディスプレイに表示される表示データを、外部出力表示データとして外部に出力する出力部とを備えた携帯端末装置と、
前記出力部からの外部出力表示データを受けて、ヘッドマウントディスプレイ（ＨＭＤ）に表示するためのＨＭＤ表示データを生成する変換装置と、
前記変換装置に接続され、ＨＭＤ表示データを受け取って表示するヘッドマウントディスプレイと、
を備えた連携表示システムにおいて、
前記タッチディスプレイの所定の一部領域であって、前記ＨＭＤ画面に対応する一部領域を重複表示領域とし、
前記携帯端末装置は、初期設定時に、前記重複表示領域とそれ以外の領域とを区別可能な初期設定用表示データを生成し、これに対応する初期設定用外部出力表示データを出力し、
前記変換装置は、初期設定時に、前記初期設定用外部出力表示データを受けて、当該データ中の重複表示領域を認識して、外部出力表示データからＨＭＤ表示データへの変換手順を確立することを特徴とする連携表示システム。
【請求項１８】
タッチディスプレイに表示される表示データを、外部出力表示データとして外部に出力する携帯端末装置からの外部出力表示データを受けて、ヘッドマウントディスプレイ（ＨＭＤ）に表示するためのＨＭＤ表示データを生成する変換装置において、
前記タッチディスプレイの所定の一部領域であって、前記ＨＭＤ画面に対応する一部領域を重複表示領域とし、
前記携帯端末装置は、初期設定時に、前記重複表示領域とそれ以外の領域とを区別可能な初期設定用表示データを生成し、これに対応する初期設定用外部出力表示データを出力し、
前記変換装置は、初期設定時に、前記初期設定用外部出力表示データを受けて、当該データ中の重複表示領域を認識して、外部出力表示データからＨＭＤ表示データへの変換手順を確立することを特徴とする変換装置。
【請求項１９】
タッチ入力可能なタッチディスプレイと、前記タッチディスプレイに表示される表示データを、外部出力表示データとして外部に出力する出力部とを備え、変換装置を介してヘッドマウントディスプレイにＨＭＤ表示データを表示させる携帯端末装置であって、
前記タッチディスプレイの所定の一部領域であって、前記ＨＭＤ画面に対応する一部領域を重複表示領域とし、
前記変換装置において、外部出力表示データからＨＭＤ表示データへの変換手順を確立できるように、前記携帯端末装置は、初期設定時に、前記重複表示領域とそれ以外の領域とを区別可能な初期設定用表示データを生成し、これに対応する初期設定用外部出力表示データを前記変換装置に出力することを特徴とする携帯端末装置。
【請求項２０】
タッチ入力可能なタッチディスプレイと、前記タッチディスプレイに表示される表示データを、外部出力表示データとして外部に出力する出力部とを備え、変換装置を介してヘッドマウントディスプレイにＨＭＤ表示データを表示させる携帯端末装置をコンピュータによって実現するためのプログラムであって、
前記タッチディスプレイの所定の一部領域であって、前記ＨＭＤ画面に対応する一部領域を重複表示領域とし、
コンピュータを、前記変換装置において、外部出力表示データからＨＭＤ表示データへの変換手順を確立できるように、前記携帯端末装置は、初期設定時に、前記重複表示領域とそれ以外の領域とを区別可能な初期設定用表示データを生成し、これに対応する初期設定用外部出力表示データを前記変換装置に出力するよう機能させるためのプログラム。
【請求項２１】
タッチ入力可能なタッチディスプレイと、
前記タッチディスプレイに表示される表示データを、外部出力表示データとして外部に出力する出力手段と、
前記出力手段からの外部出力表示データを受けて、ヘッドマウントディスプレイ（ＨＭＤ）に表示するためのＨＭＤ表示データを生成する変換手段と、
を備えた携帯端末装置において、
前記タッチディスプレイの所定の一部領域であって、前記ＨＭＤ画面に対応する一部領域を重複表示領域とし、
前記携帯端末装置は、初期設定時に、前記重複表示領域とそれ以外の領域とを区別可能な初期設定用表示データを生成し、これに対応する初期設定用外部出力表示データを出力し、
前記変換手段は、初期設定時に、前記初期設定用外部出力表示データを受けて、当該データ中の重複表示領域を認識して、外部出力表示データからＨＭＤ表示データへの変換手順を確立することを特徴とする携帯端末装置。
【請求項２２】
コンピュータによって変換手段を実現するための変換プログラムであって、コンピュータを、
タッチディスプレイに表示される表示データを、外部出力表示データとして外部に出力する出力手段からの外部出力表示データを受けて、ヘッドマウントディスプレイ（ＨＭＤ）に表示するためのＨＭＤ表示データを生成する変換手段として機能させるための変換プログラムにおいて、
前記タッチディスプレイの所定の一部領域であって、前記ＨＭＤ画面に対応する一部領域を重複表示領域とし、
初期設定時に、前記重複表示領域とそれ以外の領域とを区別可能な初期設定用表示データを生成し、これに対応する初期設定用外部出力表示データを出力し、
前記変換手段は、初期設定時に、前記初期設定用外部出力表示データを受けて、当該データ中の重複表示領域を認識して、外部出力表示データからＨＭＤ表示データへの変換手順を確立することを特徴とする変換プログラム。
【請求項２３】
請求項１、９もしくは１７のシステム、または請求項２、５、１０、１３、１８、１９もしくは２１の装置において、
表示部に表示するための画面データを生成する画面データ生成手段と、
音声データを受けて、対応する命令を認識する命令認識手段と、
認識した命令を実行する命令実行手段と、
を備えた音声認識装置において、
前記画面データ生成手段は、当該画面において受付可能な命令に対応する音声データのテキストを含む画面データを生成し、
前記命令認識手段は、前記受付可能な命令の中から、音声データに対応する命令を選択して認識する音声認識装置を備えるシステムまたは装置。
【請求項２４】
請求項６、１４、２０または２２のプログラムにおいて、
音声認識装置をコンピュータによって実現するための音声認識プログラムであって、コンピュータを、
表示部に表示するための画面データを生成する画面データ生成手段と、
音声データを受けて、対応する命令を認識する命令認識手段と、
認識した命令を実行する命令実行手段として機能させるための音声認識プログラムにおいて、
前記画面データ生成手段は、当該画面において受付可能な命令に対応する音声データのテキストを含む画面データを生成し、
前記命令認識手段は、前記受付可能な命令の中から、音声データに対応する命令を選択して認識する音声認識プログラムを備えるプログラム。
【請求項２５】
請求項１、９もしくは１７のシステム、または請求項２、５、１０、１３、１８、１９もしくは２１の装置において、
表示部に表示するための画面データを生成する画面データ生成手段と、
音声データを受けて、対応する命令を認識する命令認識手段と、
認識した命令を実行する命令実行手段と、
を備えた音声認識装置において、
前記画面データ生成手段は、入力された音声データの音声波形を、命令認識手段が認識可能なレベルの目安となるラインとともに示すことを含む画面データを生成することを特徴とする音声認識装置を備えるシステムまたは装置。
【請求項２６】
請求項６、１４、２０または２２のプログラムにおいて、
音声認識装置をコンピュータによって実現するための音声認識プログラムであって、コンピュータを、
表示部に表示するための画面データを生成する画面データ生成手段と、
音声データを受けて、対応する命令を認識する命令認識手段と、
認識した命令を実行する命令実行手段として機能させるための音声認識プログラムにおいて、
前記画面データ生成手段は、入力された音声データの音声波形を、命令認識手段が認識可能なレベルの目安となるラインとともに示すことを含む画面データを生成する音声認識プログラムを備えるプログラム。